(57)【要約】【課題】カード付きシートにプリントした後、印字済みカードを剥がす際に、印字用基材からカードを剥がし易くしたカード付きシートを提供する。【解決手段】略同じ大きさを有する印字用基材と支持基材とが少なくとも一部に剥離剤層を介して貼り合わされた貼り合わせシートにおいて、印字用基材には、印字用基材を貫通するカード状の切込みと、切り込みの一部を共有する開口部が形成され、印字用基材の裏側の少なくともカード状切込みの内側には剥離剤層が形成されたカード付きシートを提供する。【選択図】  図１
2006289891.tif 000002
【特許請求の範囲】
【請求項１】
略同じ大きさを有する印字用基材と支持基材とが少なくとも一部に剥離剤層を介して貼り合わされた貼り合わせシートにおいて、印字用基材には、印字用基材を貫通するカード状の切込みと、切り込みの一部を共有する開口部が形成され、印字用基材の裏側の少なくともカード状切込みの内側には剥離剤層が形成されたことを特徴とするカード付きシート。
【請求項２】
請求項１に記載のカード付きシートにおいて、印字用基材はプラスチックで、支持基材は紙であることを特徴とするカード付きシート。
【発明の詳細な説明】
【技術分野】
【０００１】
本発明は、カード付きシートにプリントした後、印字済みカードを剥がす際に、印字用基材からカードを剥がし易くしたカード付きシートに関する。
【背景技術】
【０００２】
シートの裏側にフィルムを貼着し、このフィルム貼着部分にカード部をスリット（切込み）で区画形成したカード付きシートが実用されている。
このカード付きシートは、カード部をスリットで区画形成したときに、シート裏面側に貼着された２枚のフィルムで構成されたシートがカードの脱落防止の役割を担っている。
ところが、２枚のフィルムの、上位のフィルムにスリットを形成し、カード部を形成する際に、シートと上位のフィルムを接着している粘着剤が２枚のフィルムの剥離可能な接着面に移行して、これら２枚のフィルムの剥離、換言するとカード部の剥離が困難になり、場合によっては剥離の際にシートが破損するという不都合があり、これの不都合を解消してカード部の分離を容易かつ確実にすることのできるカード付きシートが提案されている（例えば、特許文献１参照）。
特許文献１で開示されている技術は、シートの裏面側の所定部分に、互いに剥離可能に接着してなる２枚のフィルムを貼着し、このフィルム貼着部分に対して、前記シートの表面側から前記２枚のフィルムの下位のフィルムには至らないようにスリットを設けてカード部を区画形成し、前記スリットから前記シートの端部に向けて伸びるシート折り曲げ用のスリットを前記下位のフィルムには至らないように設けたものである。
【０００３】
【特許文献１】特開平９−２９５４７９号公報
【発明の開示】
【発明が解決しようとする課題】
【０００４】
特許文献１に記載されている技術は、カード部分を剥がすために剥がし方に関する説明が必要で、また、カード部分を剥がすためにカードを支えている帳票の一部を破壊しなければならないという課題がある。
さらに、カード付きシートの厚さが均一でないという課題がある。
【課題を解決するための手段】
【０００５】
前記課題を解決するために、本発明のカード付きシートの請求項１に記載の発明は、略同じ大きさを有する印字用基材と支持基材とが少なくとも一部に剥離剤層を介して貼り合わされた貼り合わせシートにおいて、印字用基材には、印字用基材を貫通するカード状の切込みと、切り込みの一部を共有する開口部が形成され、印字用基材の裏側の少なくともカード状切込みの内側には剥離剤層が形成されたことを特徴とするものである。
【０００６】
また、請求項２に記載の発明は、請求項１に記載の発明において、印字用基材はプラスチックで、支持基材は紙であることを特徴とするものである。
【発明の効果】
【０００７】
１）請求項１に記載のように、略同じ大きさを有する印字用基材と支持基材とが少なくとも一部に剥離剤層を介して貼り合わされた貼り合わせシートにおいて、印字用基材には、印字用基材を貫通するカード状の切込みと、切り込みの一部を共有する開口部が形成され、印字用基材の裏側の少なくともカード状切込みの内側には剥離剤層が形成されたことによって、シート全体が均一な厚さ構造となるために、ノンインパクトタイプのカット紙プリンタによるプリント適性に優れ、印字用基材に開口部が形成されているために、カード面にカード情報をプリントした後、容易にカード部分を引き剥がすことができる。
２）また、請求項２に記載のように、請求項１に記載の発明において、印字用基材はプラスチックで、支持基材は紙であることによって、カード付きシートを安価に作成することができ、カードとして利用する部分がプラスチックであることによってカードに耐久性が要求される分野に利用することができる。
【発明を実施するための最良の形態】
【０００８】
以下、図面を参照して本発明のカード付きシートについて説明する。
図１は、本発明のカード付きシートの一例について説明するための図，図２は、図１のＡ−Ａ線断面の一例について説明するための図，図３は、従来のカード付きシートの一例について説明するための図，である。
【０００９】
図１を参照して、本発明のカード付きシートの一例について説明する。
カード付きシート１は、印字用基材１１と支持基材１２が少なくとも一部に剥離剤層を介して貼り合わされている。
印字用基材の一部にカード状の切込み２が形成され、さらに、カード状の切込み２の一部を共有する開口部３が形成されている。
印字用基材１１と、支持基材１２は同一の大きさで貼り合わされていてもよいし、近似の大きさであってもよい。
カード付きシートがプリンタの給紙部に積載されたときにカード付きシートが傾かないように、また、給紙ローラなどによってバランスよく送り出されるように、また、印字が均一に行われるように近似の大きさにしている。
図１に示すような形状の場合は、長辺，短辺いずれの方向からフィードされても問題ないが、安定してフィードされるためには長辺方向からフィードされる方が好ましい。
【００１０】
切込み（スリット、または、ハーフカット等とも呼ばれる）２は、印字用基材を貫通する状態で施される。
切込みに沿って印字用基材が支持基材１２から剥ぎ取られると、クレジットカードサイズのカード１１０になる。
カードの印字部１１１には、カード名「入場証」，ＩＤ番号「ＩＤ  Ｎｏ  １２３４−５６７８」，カードの所持者名「Ｎａｍｅ  Ｎｉｐｐｏｎ  Ｔａｒｏ」がプリンタによって印字される。
カード１１０以外の部分にも印字され、カード所持者宛のメッセージや、送付される場合は、カード所持者の宛先情報などが印字される。
印字用基材１１の印字面には、カードのデザインを含め、宣伝文言，注意文言などの印刷が施される。
【００１１】
開口部３は、図に示すような形状に拘らないが、一見してこの部分は開口部で、指の爪を差し込んで剥がす部分であることが判る形状であればよい。
また、開口部３の位置は、図に示すようにカード１１０の左側であっても、右，下側であってもよい。
開口部３は、切込み２の一部を共有しているために切込みと同時に形成されることが好ましく、切込みが施された後、開口部の印字用基材は、製造装置内の吸引ユニットなどによって剥ぎ取られる。
【００１２】
図２を参照して、図１のＡ−Ａ線断面の一例について説明する。
カード付きシート１は、印字用基材１１と支持基材１２が少なくとも一部に剥離剤層４，接着剤層５を介して貼り合わされている。
印字用基材の一部にカード状の切込み２が形成され、さらに、カード状の切込み２の一部を共有する開口部３が形成されている。
切込み２の内側、カードの表面には、プリンタ等のトナーにより印字部１１１が形成されている。
図示しないが、印字用基材の印字面には印刷によるインキも形成されている。
【００１３】
剥離剤層４は、少なくとも切込み２によって囲まれたカード部分の裏側および開口部に形成されていればよく、それ以外の部分には形成されていなくともよいのであるが、製造工程で、全面に剥離剤層を形成したほうが製造効率がよい場合は、図に示すように全面に形成する。
印字用基材１１に形成された剥離剤層４は、カード部や開口部の印字用基材が剥ぎ取られる際に印字基材側に付着した状態で剥ぎ取られる。
したがって、接着剤層５に粘着剤が使用される場合は、開口部３には粘着剤層が表出する。しかし、開口部３に表出した粘着剤層はカード付きシート１が複数積載された場合でも開口部３の面積が小さいため、カード付きシート同士を接着させることはない。
【００１４】
図３を参照して、従来のカード付きシートの一例について説明する。
従来のカード付きシートの一例として、特許文献１に記載されたカード付きシートの例で説明する。
図に示すカード付きシート６のカード６１は、印字用シート６０の裏側、幅方向の一端側に形成された支持片（図の境界線６４のカードが形成された側の裏面全面）によって支持されている。前記支持片は、互いに不完全な溶着等による疑似接着層を介して剥離可能に接着されたポリエチレン，ポリエステル等の２枚の合成樹脂製のフィルムで構成されており、印字用シート６０の裏側に粘着剤で貼付されている。
したがって、カード付きシート６は、カード付きシート６の境界線６４（実際には表示されない）の右半分と左半分は、少なくとも支持片の厚さの分だけ厚さが異なる。
この支持片に対して、印字用シート６０の表面側から前記２枚のフィルムの上位フィルムを貫通するようにカード形状のスリット６２が形成されている。
【００１５】
また、カード付きシートにはカード付きシートからカード部を剥がすための折り曲げ部が設けられている。
折り曲げ部は、カード形状のスリット６２から印字用シート６０の端部に向けて形成された２本のスリット６３によって形成されている。
この２本のスリット６３は、印字用シートを含む前記２枚のフィルムを貫通する状態で形成されており、また、２本のスリット６３は、印字用シート６０の一端にまでは至らず、若干の間隔を置いて終わっている。
【００１６】
図示しないが、印字用シート６０の表面には、カードの送付先を示す宛先情報とカード６１の剥離方法やカード使用方法等を記載した案内文が印刷されている。また、カード６１の表面には、会員証等の表題のほか、会員番号や、会員氏名が表示されている。
【００１７】
前記カード付きシート６は、宛先情報１２が窓開き封筒の窓部に対応するように封入されて送付される。
このカード付きシート６を受け取った受取人は、案内文の説明にしたがって、スリット６３に挟まれた前記折り曲げ部を裏面側に折り曲げ、前記２枚のフィルムの疑似接着層で分離し、カードを取り出す。
【００１８】
（材料）
図２を参照して、本発明のカード付きシートに使用される材料の一例について説明する。
印字用基材１１として紙を選択した場合は、４０〜１２８ｇ／ｍ2の上質紙，コート紙，クラフト紙などの中からカードの使途に合った厚さの紙を選択する。
印字用基材１１としてプラスチックを選択することができる。プラスチック材料としては、ノンインパクトプリンタでプリント可能なように、熱に対する軟化温度が比較的高いポリプロピレン，ポリスチレン，ポリエステル等を選択する。
また、不透明性と白さを付与するために無機物を混入し、トナーの接着力を高めるために表面材料を発泡させる。厚さは、紙の場合と同様２５〜５０μｍのものを選択する。
また、支持基材１２として、４０〜１０５ｇ／ｍ2の上質紙，コート紙，クラフト紙などの中から選択して使用する。
印刷インキは、市販されているＵＶ乾燥型のオフセットインキや通常のオフセットインキを使用する。
接着剤として、例えば、ＳＢＲ系や、アクリル系、または酢酸ビニル系等から選択して使用する。
プラスチック材料を使用する場合、例えば、オレフィン系材料にロジンを添加したものを使用する。
接着剤として、貼り合わせたカード付きシートに柔軟性を与えるために粘着剤を使用することもできる。
また、カード形成部およびその近傍に使用する剥離剤として、例えば、シリコーンオイルや、シリコーンアクリレートを添加した市販のＵＶインキを使用する。
【産業上の利用可能性】
【００１９】
オフィスに設置されたプリンターなどでプリント行うことを前提とした簡易なＩＤカード，プライスカード，棚札などに利用できる。
【図面の簡単な説明】
【００２０】
【図１】本発明のカード付きシートの一例について説明するための図である。
【図２】図１のＡ−Ａ線断面の一例について説明するための図である。
【図３】従来のカード付きシートの一例について説明するための図である。
【符号の説明】
【００２１】
１，６  カード付きシート
２      カード状切込み
３      開口部
４      剥離剤層
５      接着剤層
１１    印字用基材，プラスチック
１２    支持基材，紙
６０    印字用シート
６１，１１０  カード
６２，６３  スリット
６４    境界線
１１１  印字部
【図１】
2006289891.tif 000003
【図２】
2006289891.tif 000004
【図３】
2006289891.tif 000005